(57)【要約】【課題】加熱調理器から離れた、或いは、離れそうになっているタイミングで、バーナが点火状態にあることをユーザに確実に知らせることができる加熱調理器を提供する。【解決手段】ガスバーナ１と、通信ユニット２と、制御装置３とを備えた加熱調理器ＧＣであって、制御装置３は、バーナ状態取得部４と、通信状態監視部５と、通信制御部６とを有し、通信制御部６は、通信状態が、携帯端末機器Ｓと通信ユニット２とが正常に接続されている状態から携帯端末機器Ｓと通信ユニット２との接続が途切れた状態、又は、信号強度が予め設定した所定値よりも低い状態になった場合、且つ、ガスバーナ１の状態が点火状態である場合に、携帯端末機器Ｓにガスバーナ１が点火状態にあることを知らせる報知信号を送信するように通信ユニット２の動作を制御する。【選択図】図１
2020106253.tif 000002
【特許請求の範囲】
【請求項１】
少なくとも１つのバーナと、
携帯端末機器と無線通信可能な通信手段と、
制御装置とを備えた加熱調理器であって、
前記制御装置は、
前記バーナの状態を取得するバーナ状態取得部と、
前記携帯端末機器と前記通信手段との間の信号の送受信状況を基に、前記携帯端末機器との通信状態を監視する通信状態監視部と、
前記通信手段を制御する通信制御部とを有し、
前記携帯端末機器において所定のアプリケーションが起動している場合に、前記携帯端末機器と前記通信手段とが無線通信で正常に接続されるように構成され、
前記通信制御部は、
前記通信状態監視部で監視している通信状態が、前記携帯端末機器と前記通信手段とが正常に接続されている状態から前記携帯端末機器と前記通信手段との接続が途切れた状態、又は、信号強度が予め設定した所定値よりも低い状態になった場合、且つ、前記バーナ状態取得部で取得される前記バーナの状態が点火状態である場合に、前記携帯端末機器に前記バーナが点火状態にあることを知らせる報知信号を送信するように前記通信手段を制御する加熱調理器。
【請求項２】
前記通信制御部は、前記報知信号を送信してから一定時間経過した時点において、前記携帯端末機器から前記報知信号を受信したことを知らせる信号を受信していない場合に、前記携帯端末機器に前記バーナが点火状態にあることを知らせる報知信号を再度送信する、又は、前記携帯端末機器に前記バーナが点火状態にあることを知らせる報知信号を前回送信時よりも高い信号強度で再度送信するように前記通信手段を制御する請求項１に記載の加熱調理器。
【請求項３】
前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から前記携帯端末機器と前記通信手段との接続が途切れた状態になった場合に、前記携帯端末機器に前記バーナが点火状態にあることを知らせる報知信号としてのアドバタイズ信号を前記携帯端末機器に送信するように前記通信手段を制御する請求項１又は２に記載の加熱調理器。
【請求項４】
前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から、信号強度が徐々に低下した後に前記携帯端末機器と前記通信手段との接続が途切れた状態になった場合に、前記携帯端末機器に前記バーナが点火状態にあることを知らせる報知信号としてのアドバタイズ信号を接続時よりも高い信号強度で送信するように前記通信手段を制御する請求項１〜３のいずれか一項に記載の加熱調理器。
【請求項５】
前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から、信号強度が予め設定した所定値よりも低い状態になった場合に、前記携帯端末機器に前記バーナが点火状態にあることを知らせる報知信号としてのデータ信号を送信するように前記通信手段を制御する請求項１〜４のいずれか一項に記載の加熱調理器。
【発明の詳細な説明】
【技術分野】
【０００１】
本発明は、携帯端末機器と無線通信が可能な加熱調理器に関する。
【背景技術】
【０００２】
設備機器の一種であるガスコンロ（加熱調理器）において、当該ガスコンロでの調理中にガスコンロの傍を離れ、火を消し忘れてしまうことは火災に繋がる虞があり、極めて危険であるため、火の消し忘れを防止するための様々な対策がなされている。例えば、バーナの燃焼中において、点火スイッチを突出させて目立たせたり、点火中であることを知らせるランプを点灯させたり、点火中であることを知らせる表示をガスコンロの表示部に表示したりといった対策がなされている。しかしながら、ガスコンロから離れた、即ち、点火スイッチやランプ、表示部を視認することができない距離に移動したユーザに対して、バーナが点火状態にあることを知らせることは困難である。
【０００３】
ところで、近年、ガスコンロなどの設備機器に無線通信機能を持たせ、この無線通信機能を利用して、各種電子機器と信号をやりとりすることで、設備機器にエラーが発生したことなどを各種電子機器を介してユーザに報知する技術の開発に注目が集まっている。
【０００４】
例えば、特許文献１には、Ｂｌｕｅｔｏｏｔｈ  Ｌｏｗ  Ｅｎｅｒｇｙ（ＢＬＥ）通信を用いて、画像形成装置とユーザの端末装置との間で無線通信可能に構成し、画像形成装置でのエラー発生を示す情報をアドバタイズ信号に含ませ、当該アドバタイズ信号を周期的に送信し、アドバタイズ信号を受信した端末装置を介してユーザにエラー発生を示す情報を通知できる技術が提案されている。
【０００５】
また、特許文献２には、同じくＢＬＥ通信のアドバタイズ信号を利用し、画像形成装置と無線通信可能な端末装置を介してユーザにエラー情報を知らせる画像形成装置が開示されており、当該画像形成装置においては、発生したエラーの種類に応じて、画像形成装置から送信するアドバタイズ信号の信号強度を変えることにより、エラー内容に応じて通知範囲を制御でき、適切な範囲でエラー通知を行うことができる。
【先行技術文献】
【特許文献】
【０００６】
【特許文献１】特開２０１６−１４７４０６号公報
【特許文献２】特開２０１８−００１５８７号公報
【発明の概要】
【発明が解決しようとする課題】
【０００７】
上記特許文献１や特許文献２に記載の技術を加熱調理器に適用することで、加熱調理器に発生したエラーをユーザに知らせることは可能となる。
【０００８】
しかしながら、加熱調理器において、バーナが点火状態にあることは、加熱調理器が正常に動作している状態であって、何らかのエラーが発生している状態ではなく、単にバーナが点火状態にあることをユーザに通知するようにしたのでは、加熱調理器の前で調理を行っているにもかかわらず、常に通知がなされることになり、ユーザが煩わしさを感じる。
【０００９】
上述したように、バーナの消し忘れが問題となるのは、加熱調理器が正常に動作している状態であるにもかかわらず、バーナの火を消し忘れてユーザが加熱調理器の傍を離れた場合であることからすれば、バーナの消し忘れを防止するためには、バーナが点火状態である場合にユーザがガスコンロから離れた、或いは、離れそうになっているタイミングで、バーナが点火状態にあることをユーザに通知することが肝要である。
【００１０】
本発明は、以上の実情に鑑みなされたものであり、バーナの消し忘れを防止すべく、加熱調理器から離れた、或いは、離れそうになっているタイミングで、バーナが点火状態にあることをユーザに確実に知らせることができる加熱調理器の提供を、その目的とする。
【課題を解決するための手段】
【００１１】
上記目的を達成するための本発明に係る加熱調理器の特徴構成は、
少なくとも１つのバーナと、
携帯端末機器と無線通信可能な通信手段と、
制御装置とを備えた加熱調理器であって、
前記制御装置は、
前記バーナの状態を取得するバーナ状態取得部と、
前記携帯端末機器と前記通信手段との間の信号の送受信状況を基に、前記携帯端末機器との通信状態を監視する通信状態監視部と、
前記通信手段を制御する通信制御部とを有し、
前記携帯端末機器において所定のアプリケーションが起動している場合に、前記携帯端末機器と前記通信手段とが無線通信で正常に接続されるように構成され、
前記通信制御部は、
前記通信状態監視部で監視している通信状態が、前記携帯端末機器と前記通信手段とが正常に接続されている状態から前記携帯端末機器と前記通信手段との接続が途切れた状態、又は、信号強度が予め設定した所定値よりも低い状態になった場合、且つ、前記バーナ状態取得部で取得される前記バーナの状態が点火状態である場合に、前記携帯端末機器に前記バーナが点火状態にあることを知らせる報知信号を送信するように前記通信手段を制御する点にある。
【００１２】
上記特徴構成によれば、加熱調理器は、通信手段によって携帯端末機器と無線通信が可能であり、携帯端末機器において所定のアプリケーションが起動している場合に、携帯端末機器と通信手段とが無線通信で正常に接続される。そして、通信制御部は、通信状態監視部で監視している通信状態が、携帯端末機器と通信手段とが正常に接続されている状態から、携帯端末機器と通信手段との接続が途切れた状態、又は、信号強度が予め設定した所定値よりも低い状態になり、且つ、バーナ取得部で取得されたバーナの状態が点火状態である場合に、バーナが点火状態にあることを知らせる報知信号を携帯端末機器に送信する。
【００１３】
即ち、上記特徴構成によれば、ユーザの所持する携帯端末機器と加熱調理器の通信手段とが無線通信で正常に接続されている状態から、ユーザが無線通信の圏外に移動したことで正常な接続が途切れた状態やユーザが加熱調理器から徐々に離れることで信号強度が徐々に低下して当該信号強度が所定値よりも低い状態になった場合に、バーナが点火状態にあることを知らせる報知信号が携帯端末機器に送信される。したがって、ユーザがバーナを消すことなく加熱調理器から一定距離離れた場所に移動したような場合でも、バーナの状態が点火状態にあることをユーザに通知することができる。また、携帯端末機器においてアプリケーションが何らかの要因で停止して携帯端末機器と通信手段との間の接続が突然途切れた場合にも携帯端末機器に報知信号が送信されるため、その後にユーザが加熱調理器から離れたような場合であっても携帯端末機器に事前に報知信号が送信されていることで、ユーザにバーナが点火状態であることを知らせることができる。
【００１４】
尚、本願において、「アプリケーションが起動している」とは、バックグラウンドで起動している場合も含む概念である。
【００１５】
また、本発明に係る加熱調理器の更なる特徴構成は、前記通信制御部は、前記報知信号を送信してから一定時間経過した時点において、前記携帯端末機器から前記報知信号を受信したことを知らせる信号を受信していない場合に、前記携帯端末機器に前記バーナが点火状態にあることを知らせる報知信号を再度送信する、又は、前記携帯端末機器に前記バーナが点火状態にあることを知らせる報知信号を前回送信時よりも高い信号強度で再度送信するように前記通信手段を制御する点にある。
【００１６】
通信手段によって携帯端末機器に報知信号が送信されたとしても、報知信号を送信した時点で携帯端末機器が報知信号の届くエリアから出てしまっていた場合や報知信号の届くエリア内に携帯端末機器が位置しているにもかかわらず何らかの要因で正常に受信されなかった場合には、報知信号が送信されているにもかかわらず、携帯端末機器が報知信号を受信できていないことで、バーナが点火状態であることをユーザに知らせることができない。
上記特徴構成によれば、報知信号を送信してから一定時間経過した後に、携帯端末機器から報知信号を受信したことを知らせる信号が送信されていない場合に、報知信号を再度送信することができるため、通信障害などによって携帯端末機器が報知信号を正常に受信できていなかった場合でも、再度送信された報知信号を携帯端末機器が受信すれば、バーナが点火状態であることをユーザに知らせることができる。また、報知信号を前回送信時よりも高い信号強度で再度送信することができるため、携帯端末機器が報知信号の届くエリア外に出てしまっていた場合でも、前回送信時よりも高い信号強度で再度送信された報知信号を携帯端末機器が受信すれば、バーナが点火状態であることをユーザが知ることができる。よって、上記特徴構成によれば、報知信号が携帯端末機器に正常に受信されず、バーナが点火状態にあることをユーザが知れなくなるといった不都合が生じ難くなる。
【００１７】
また、本発明に係る加熱調理器の更なる特徴構成は、前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から前記携帯端末機器と前記通信手段との接続が途切れた状態になった場合に、前記携帯端末機器に前記バーナが点火状態にあることを知らせる報知信号としてのアドバタイズ信号を前記携帯端末機器に送信するように前記通信手段を制御する点にある。
【００１８】
ＢＬＥによる近距離無線通信は、省電力・省コストを実現した通信モードである。
上記特徴構成によれば、このＢＬＥ通信により、通信手段と携帯端末機器とが無線通信を行うため、省電力・省コストを実現することが可能である。
そして、上記特徴構成において、通信制御部は、通信状態が、携帯端末機器と通信手段とが無線通信で正常に接続されている状態から携帯端末機器と通信手段との接続が途切れた状態になった場合に、ＢＬＥに特有のアドバタイズ信号を報知信号として携帯端末機器に送信する。
したがって、携帯端末機器で起動しているアプリケーションが停止して、携帯端末機器と通信手段との間の接続が突然途切れ、その後にユーザが加熱調理器から離れたような場合でも、携帯端末機器が当該報知信号としてのアドバタイズ信号をユーザが加熱調理器を離れる前に受信した状態となるため、ユーザはバーナが点火状態にあることを知ることができる。
【００１９】
また、本発明に係る加熱調理器の更なる特徴構成は、前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から、信号強度が徐々に低下した後に前記携帯端末機器と前記通信手段との接続が途切れた状態になった場合に、前記携帯端末機器に前記バーナが点火状態にあることを知らせる報知信号としてのアドバタイズ信号を接続時よりも高い信号強度で送信するように前記通信手段を制御する点にある。
【００２０】
上記特徴構成によれば、上記と同様に、ＢＬＥ通信により、通信手段と携帯端末機器とが無線通信を行うため、省電力・省コストを実現することが可能である。
そして、上記特徴構成において、通信制御部は、通信状態が、携帯端末機器と通信手段とが無線通信で正常に接続されている状態から、信号強度が徐々に低下した後に携帯端末機器と通信手段との接続が途切れた状態になった場合に、ＢＬＥに特有のアドバタイズ信号を接続時よりも高い信号強度の報知信号として携帯端末機器に送信する。
信号強度が徐々に低下した後に携帯端末機器と通信手段が途切れるのは、例えば、携帯端末機器を所持したユーザが加熱調理器の傍から徐々に離れ、携帯端末機器が加熱調理器から正常な接続を維持できない距離離れた位置まで移動したような場合である。この場合、接続時と同程度の信号強度で報知信号を送信したのでは、携帯端末機器が報知信号を正常に受信できない可能性が高い。
しかしながら、上記特徴構成においては、接続時よりも高い信号強度の報知信号を携帯端末機器に送信することが可能であり、報知信号としてのアドバタイズ信号を携帯端末機器が受信することで、加熱調理器の傍から徐々に離れ、携帯端末機器が通信手段と正常な接続を維持できない位置まで移動したユーザにバーナが点火状態にあることを知らせることができる。
【００２１】
また、本発明に係る加熱調理器の更なる特徴構成は、前記通信手段は、ＢＬＥ（Ｂｌｕｅｔｏｏｔｈ  Ｌｏｗ  Ｅｎｅｒｇｙ）により近距離無線通信を行い、
前記通信制御部は、前記通信状態が、前記携帯端末機器と前記通信手段とが正常に接続されている状態から、信号強度が予め設定した所定値よりも低い状態になった場合に、前記携帯端末機器に前記バーナが点火状態にあることを知らせる報知信号としてのデータ信号を送信するように前記通信手段を制御する点にある。
【００２２】
上記特徴構成によれば、上記と同様に、ＢＬＥ通信により、通信手段と携帯端末機器とが無線通信を行うため、省電力・省コストを実現することが可能である。
そして、上記構成において、通信制御部は、通信状態が、携帯端末機器と通信手段とが無線通信で正常に接続されている状態から、信号強度が予め設定した所定値よりも低い状態になった場合に、データ信号を報知信号として携帯端末機器に送信する。
携帯端末機器と通信手段との間の接続が途切れた場合に報知信号を送信したとしても、報知信号を送信した段階で、携帯端末機器が報知信号の届くエリアから遥かに離れた位置に位置しているような場合には、携帯端末機器が報知信号を正常に受信できない場合がある。
しかしながら、上記特徴構成においては、信号強度が所定値よりも低い状態、即ち、接続が維持できないほどの距離ではないが、携帯端末機器を所持するユーザが加熱調理器から一定距離離れた状態になった時点で、携帯端末機器に報知信号を無線通信で送信することが可能であり、当該報知信号としてのデータ信号を携帯端末機器が受信することで、加熱調理器から一定距離離れた位置に移動したユーザにバーナが点火状態にあることを知らせることができる。
【図面の簡単な説明】
【００２３】
【図１】第１実施形態に係る加熱調理器及び携帯端末機器の概略構成を示した図である。
【図２】第１実施形態に係る加熱調理器の通信制御部での処理を説明するためのフローチャートである。
【図３】第１実施形態に係る携帯端末機器において実行されるアプリケーションプログラムの動作フローを説明するためのフローチャートである。
【図４】第２実施形態に係る加熱調理器の通信制御部での処理を説明するためのフローチャートである。
【図５】第３実施形態に係る携帯端末機器において実行されるアプリケーションプログラムの動作フローを説明するためのフローチャートである。
【発明を実施するための形態】
【００２４】
〔第１実施形態〕
以下、図面を参照して本発明の第１実施形態について、加熱調理器ＧＣと、当該加熱調理器ＧＣと無線通信が可能な携帯端末機器Ｓとからなる調理システムの一部として使用される場合を例にとって説明する。尚、本実施形態において、加熱調理器ＧＣはガスコンロである。
【００２５】
図１に示すように、加熱調理器ＧＣは、調理機器を加熱する１つのガスバーナ１（バーナ）と、ユーザが所有する携帯端末機器Ｓの通信ユニット１１と無線通信可能な通信ユニット２（通信手段）と、各種情報処理を行う制御装置３とを備えている。
【００２６】
加熱調理器ＧＣには、バーナ操作部（図示せず）が設けられており、当該バーナ操作部を押し操作及び回転操作等することより、ガスバーナ１の点火、消火及び火力調節等を行うことができるようになっている。尚、ガスバーナ１の点火及び消火を行うための操作が行われた場合、点火操作があったことを知らせる信号（バーナ点火信号）又は消火操作があったことを知らせる信号（バーナ消火信号）が制御装置３に送信されるようになっている。
【００２７】
本実施形態において、通信ユニット２，１１は、近距離無線通信の一種である、Ｂｌｕｅｔｏｏｔｈ  Ｌｏｗ  Ｅｎｅｒｇｙ（ＢＬＥ）通信及びＢｌｕｅｔｏｏｔｈ（登録商標）通信を相互に行うように構成される。尚、本実施形態においては、ＢＬＥのペリフェラルとして動作する加熱調理器ＧＣの通信ユニット２から周囲に送信された（ブロードキャストされた）アドバタイズ信号を、ＢＬＥのセントラルとして動作する携帯端末機器Ｓの通信ユニット１１が受信するようになっている。
【００２８】
本実施形態においては、加熱調理器ＧＣの通信ユニット２からブロードキャストされたアドバタイズ信号を通信ユニット１１が受信した携帯端末機器Ｓとの間で機器登録（ペアリング）が既に済んでいるものとする。また、携帯端末機器Ｓの通信ユニット１１と加熱調理器ＧＣの通信ユニット２とは、機器登録が済んでいる状態において、加熱調理器ＧＣの通信ユニット２からブロードキャストされたアドバタイズ信号を携帯端末機器Ｓの通信ユニット１１が受信し、所定のアプリケーションが起動している状態（バックグラウンドで起動している状態を含む）にある携帯端末機器Ｓの通信ユニット１１からアドバタイズ信号を受信したことを知らせる信号が送信されることで、携帯端末機器Ｓの通信ユニット１１と加熱調理器ＧＣの通信ユニット２とがデータ信号を送受信可能な状態（以下、「正常に接続されている状態」ともいう）となる。尚、正常に接続されている状態においては、携帯端末機器Ｓの通信ユニット１１と加熱調理器ＧＣの通信ユニット２と間で、接続状態を確認するためのデータ信号（接続状態確認信号）が一定間隔で送受信されるようになっており、後述する通信状態監視部５は、この接続状態確認信号の送受信状況を監視している。一方、アプリケーションが停止したり、携帯端末機器Ｓが通信圏外に出た場合には、携帯端末機器Ｓの通信ユニット１１と加熱調理器ＧＣの通信ユニット２との間でデータ信号を送受信できない状態（接続が途切れた状態）となる。尚、アドバタイズ信号は、データ信号を送受信できる状態（正常に接続されている状態）では送信されない。
【００２９】
尚、「データ信号」とは、送信するデータを含むデータ部や、接続相手（即ち、携帯端末機器Ｓにとっての加熱調理器ＧＣ、加熱調理器ＧＣにとっての携帯端末機器Ｓ）を判別するアクセスアドレスなどからなるデータパケットである。一方、「アドバタイズ信号」とは、送信するデータや送信側のデバイス情報（即ち、加熱調理器ＧＣ側のデバイス情報）を含むデータ部や、所定の固定値であるアクセスアドレスなどからなるアドバタイズパケットである。
【００３０】
制御装置３は、ガスバーナ１の状態を取得するバーナ状態取得部４と、携帯端末機器Ｓの通信ユニット１１と加熱調理器ＧＣの通信ユニット２との間の信号の送受信状況を基に、携帯端末機器Ｓの通信ユニット１１と加熱調理器ＧＣの通信ユニット２との間の通信状態を監視する通信状態監視部５と、通信ユニット２を制御する通信制御部６を備えるとともに、バーナ状態取得部４で取得されるガスバーナ１の状態や通信状態監視部５で監視される通信状態などが格納される記憶部７を備えている。尚、特に図示はしないが、加熱調理器ＧＣの各部の動作を制御する各種機能部も備えている。
【００３１】
本実施形態において、バーナ状態取得部４は、制御装置３に送信されるバーナ点火信号又はバーナ消火信号を基に、ガスバーナ１の状態（点火状態・消火状態）を取得する機能部であり、取得したガスバーナ１の状態を記憶部７に逐次送信する。
【００３２】
通信状態監視部５は、ペアリング済みの携帯端末機器Ｓの通信ユニット１１と加熱調理器ＧＣの通信ユニット２との間でやりとりされるデータ信号（接続状態確認信号）の送受信状況（信号強度を含む）を基に、携帯端末機器Ｓの通信ユニット１１と加熱調理器ＧＣの通信ユニット２との間の通信状態を監視し、通信状態を記憶部７に逐次送信する。尚、通信状態監視部５は、携帯端末機器Ｓの通信ユニット１１からの接続状態確認信号を一定時間ごとに受信している場合に正常に接続されている状態と判断し、接続状態確認信号を一定時間受信していない場合に接続が途切れている状態と判断する。
【００３３】
通信制御部６は、記憶部７を参照して、通信状態が、正常に接続されている状態から接続が途切れた状態に変化したか否かを判定するとともに、同じく記憶部７を参照して、通信状態が変化した時点でのガスバーナ１の状態が点火状態であるか否かを判定し、通信状態が変化し、且つ、ガスバーナ１の状態が点火状態である場合には、通信状態の変化に応じて、所定の信号強度のアドバタイズ信号を報知信号として携帯端末機器Ｓの通信ユニット１１に送信するように加熱調理器ＧＣの通信ユニット２の動作を制御する。尚、この場合に報知信号として送信されるアドバタイズ信号のデータ部には、ガスバーナ１が点火状態にあることを知らせるデータが含まれている。
【００３４】
また、通信制御部６は、一定間隔で記憶部７を参照して、ガスバーナ１の状態に関する情報を含むデータ信号を携帯端末機器Ｓの通信ユニット１１に送信するように加熱調理器ＧＣの通信ユニット２の動作を制御する。
【００３５】
ところで、加熱調理器ＧＣの通信ユニット２から携帯端末機器Ｓの通信ユニット１１に報知信号が送信されたとしても、報知信号が送信された時点で携帯端末機器Ｓが報知信号の届くエリアから既に出てしまっていた場合や報知信号の届くエリア内に携帯端末機器Ｓが位置しているにもかかわらず、何らかの要因で携帯端末機器Ｓの通信ユニット１１で正常に受信されなかった場合には、報知信号が送信されているにもかかわらず、携帯端末機器Ｓ側で報知信号を受信できていないがゆえに、ガスバーナ１が点火状態であることをユーザが知ることができないという不都合が生じ得る。
【００３６】
そこで、本実施形態において、通信制御部６は、報知信号としてのアドバタイズ信号を送信した後、一定時間経過しても携帯端末機器Ｓの通信ユニット１１から報知信号を受信したことを知らせる信号（応答信号）が送信されていない場合には、前回送信時より高い信号強度のアドバタイズ信号を報知信号として再度送信するように加熱調理器ＧＣの通信ユニット２の動作を制御する。尚、応答信号は、例えば、携帯端末機器Ｓが報知信号を受信した時点で自動的に送信されるものであっても良いし、携帯端末機器Ｓで起動しているアプリケーション上でユーザが確認ボタンを操作することで送信されるものであっても良い。
【００３７】
次に、本実施形態における携帯端末機器Ｓについて説明する。図１に示すように、携帯端末機器Ｓは、加熱調理器ＧＣの通信ユニット２（通信手段）と無線通信可能な通信ユニット１１と、所定の情報を表示可能な表示部１２と、加熱調理器ＧＣの遠隔操作や運転状態の確認に用いるアプリケーションプログラムの実行や携帯端末機器Ｓの動作に関する各種情報処理を行う制御装置１５とを備えている。
【００３８】
通信ユニット１１は、上述したように、ＢＬＥ通信及びＢｌｕｅｔｏｏｔｈ通信を加熱調理器ＧＣの通信ユニット２との間で行うように構成される。
【００３９】
制御装置１５は、ＣＰＵやＲＯＭ、ＲＡＭなどから構成されており、図１に示すように、アプリケーションプログラムを実行するための機能部としての通信状態監視部１７、バーナ状態取得部１８及び報知情報表示部１９や、各種情報が記憶される記憶部２０などを備えている。
【００４０】
通信状態監視部１７は、携帯端末機器Ｓの通信ユニット１１と加熱調理器ＧＣの通信ユニット２との間の通信状態を監視する（通信状態監視機能）。具体的に、通信状態監視部１７は、ペアリング済みの携帯端末機器Ｓの通信ユニット１１と加熱調理器ＧＣの通信ユニット２との間でやりとりされる接続状態確認信号の送受信状況（信号強度を含む）を基に、両者の間の通信状態を監視し、通信状態を報知情報表示部１９に送信する。尚、通信状態監視部１７は、加熱調理器ＧＣの通信ユニット２からの接続状態確認信号を一定時間ごとに受信している場合に正常に接続されている状態と判断し、接続状態確認信号を一定時間受信していない場合に接続が途切れている状態と判断する。
【００４１】
バーナ状態取得部１８は、加熱調理器ＧＣに設けられた１つのガスバーナ１の状態を、無線通信を介して取得する（バーナ状態取得機能）。具体的に、バーナ状態取得部１８は、加熱調理器ＧＣからガスバーナ１の状態に関する情報を含むデータ信号を通信ユニット１１が受信した場合に、当該通信ユニット１１が受信したデータ信号中のガスバーナ１の状態に関する情報を基にガスバーナ１の状態を取得する。尚、バーナ状態取得部１８は、取得したガスバーナ１の状態を、記憶部２０に逐次送信する。
【００４２】
報知情報表示部１９は、携帯端末機器Ｓの表示部１２に、加熱調理器ＧＣのガスバーナ１が点火状態であることを知らせる報知情報を表示する（報知情報表示機能）。具体的に、本実施形態における報知情報表示部１９は、加熱調理器ＧＣの通信ユニット２と携帯端末機器Ｓの通信ユニット１１とが正常に接続されている状態から、接続が途切れた状態に変化したか否かを判定するとともに、通信状態が変化したと判定した直前にバーナ状態取得部１８で取得されたガスバーナ１の状態が点火状態であるか否かを判定し、点火状態である場合に、報知情報を表示部１２に表示させる。
【００４３】
尚、本実施形態において、通信状態監視部１７による通信状態監視機能、バーナ状態取得部１８によるバーナ状態取得機能及び報知情報表示部１９による報知情報表示機能は、上記加熱調理器ＧＣの遠隔操作や運転状態の確認を行うアプリケーションの機能の一部として組み込まれており、特に図示はしないが、制御装置１５には、通信状態監視部１７、バーナ状態取得部１８、報知情報表示部１９の他、上記遠隔操作や運転状態の確認を行うための機能を実行するための機能部が設けられている。
【００４４】
次に、第１実施形態において、加熱調理器ＧＣにおける通信制御部６での処理について、図２を参照しつつ説明する。
【００４５】
まず、通信制御部６は、工程＃１で、記憶部７を参照して、格納された最新の通信状態が、携帯端末機器Ｓの通信ユニット１１と加熱調理器ＧＣの通信ユニット２とが正常に接続されている状態であるか否かを判定し、正常に接続されている状態であれば工程＃２に移行し、正常に接続されていない場合には、工程＃１を繰り返す。
【００４６】
ついで、工程＃２において、記憶部７を参照して、格納された最新の通信状態が、携帯端末機器Ｓの通信ユニット１１と加熱調理器ＧＣの通信ユニット２との接続が途切れた状態であるか否かを判定し、接続が途切れた状態であれば工程＃３に移行し、接続が途切れていない場合には工程＃２を繰り返す。
【００４７】
次に、工程＃３において、記憶部７を参照して、通信状態が正常に接続されている状態から接続が途切れた状態に変化したと判定した時点でのガスバーナ１の状態が点火状態であるか否かを判定し、点火状態であれば工程＃４に移行し、点火状態でない場合には処理を終了する。
【００４８】
工程＃４において、記憶部７を参照して、通信状態が、信号強度が徐々に低下した後に接続が途切れたか否かを判定し、信号強度が徐々に低下した後に接続が途切れたと判定した場合には、工程＃５に移行し、接続時のデータ信号よりも信号強度が高いアドバタイズ信号を報知信号として送信するように通信ユニット２の動作を制御し、工程＃７に移行する。尚、「信号強度が徐々に低下した後に接続が途切れた」とは、具体的に、連続した信号強度のデータが下がり傾向であり、且つ限界信号強度（例えば−６０ｄＢｍ〜−７０ｄＢｍの範囲）に達した後に接続が途切れた場合をいう。
【００４９】
一方、工程＃４において、信号強度が徐々に低下した後に接続が途切れたわけでない、即ち、突然接続が途切れたと判定した場合には、工程＃６に移行し、接続時のデータ信号と同程度の信号強度のアドバタイズ信号を報知信号として送信するように通信ユニット２の動作を制御し、工程＃７に移行する。
【００５０】
ついで、工程＃７において、報知信号を携帯端末機器Ｓの通信ユニット１１に送信してから一定時間（例えば、１秒）経過するまでに携帯端末機器Ｓから送信された応答信号を受信したか否かを判定し、受信した場合には処理を終了する。一方、工程＃７において、応答信号を受信していないと判定した場合には、工程＃８に移行し、前回送信時よりも信号強度が高いアドバタイズ信号を報知信号として送信するように通信ユニット２の動作を制御した後、処理を終了する。
【００５１】
次に、第１実施形態における携帯端末機器Ｓにおいて、通信状態監視機能、バーナ状態取得機能及び報知情報表示機能が実行される場合のアプリケーションプログラムの動作フローについて、図３を参照しつつ説明する。
【００５２】
まず、携帯端末機器Ｓ上でアプリケーションが起動された状態において、通信状態監視部１７は、携帯端末機器Ｓの通信ユニット１１と加熱調理器ＧＣの通信ユニット２との間の通信状態の監視を開始し（工程＃１１）、工程＃１２に移行する。
【００５３】
工程＃１２において、報知情報表示部１９は、通信状態監視部１７から送信された通信状態が、携帯端末機器Ｓの通信ユニット１１と加熱調理器ＧＣの通信ユニット２とが正常に接続されている状態であるか否かを判定し、正常に接続されている状態であれば工程＃１３に移行し、正常に接続されていない場合には、工程＃１２を繰り返す。
【００５４】
ついで、工程＃１３において、バーナ状態取得部１８が、加熱調理器ＧＣの通信ユニット２から逐次送信されるデータ信号中のガスバーナ１の状態に関する情報に基づいてガスバーナ１の状態の取得を開始し、工程＃１４に移行する。
【００５５】
工程＃１４において、報知情報表示部１９は、通信状態監視部１７から送信された通信状態が、携帯端末機器Ｓの通信ユニット１１と加熱調理器ＧＣの通信ユニット２との接続が途切れた状態であるか否かを判定し、接続が途切れた状態であれば工程＃１５に移行し、接続が途切れていない場合には工程＃１４を繰り返す。
【００５６】
工程＃１５において、報知情報表示部１９は、記憶部２０を参照して、通信状態が正常に接続されている状態から途切れた状態に変化したと判定した直前にバーナ状態取得部１８で取得されたガスバーナ１の状態が点火状態であるか否かを判定し、点火状態であれば、工程＃１６に移行して、ガスバーナ１が点火状態であることを知らせる報知情報を表示部１２に表示する。一方、工程＃１５において、点火状態でないと判定した場合には、処理を終了する。
【００５７】
尚、本実施形態においては、加熱調理器ＧＣから送信された報知信号を通信ユニット１１が正常に受信した場合、携帯端末機器Ｓの表示部１２には、報知信号に係る通知が表示されるとともに、内容が重複する、即ち、ガスバーナ１が点火状態にあることを知らせる報知情報も合わせて表示される。
【００５８】
このように、第１実施形態において、加熱調理器ＧＣは、通信状態が、正常に接続されている状態から接続が途切れた状態に変化した時点でガスバーナ１が点火状態にある場合に、ガスバーナ１が点火状態にあることを知らせるための報知信号を携帯端末機器Ｓの通信ユニット１１に送信することができる。
【００５９】
即ち、第１実施形態においては、ユーザが携帯端末機器Ｓを所持したまま加熱調理器ＧＣからのデータ信号が届かない圏外に移動して、携帯端末機器Ｓの通信ユニット１１と加熱調理器ＧＣの通信ユニット２とが正常に接続されている状態から接続が途切れた状態になった時点で、ユーザの所持する携帯端末機器Ｓの通信ユニット１１に報知信号が送信され、報知信号を受信した携帯端末機器Ｓでは、報知信号に係る通知（ガスバーナ１が点火状態にあることを知らせる通知）が表示部１２に表示される。したがって、加熱調理器ＧＣから一定距離離れたユーザは、携帯端末機器Ｓの表示部１２に表示された通知を見ることで、ガスバーナ１が点火状態にあることを知ることができる。
【００６０】
また、携帯端末機器Ｓで起動していたアプリケーションが何らかの要因で不意に停止して、当該携帯端末機器Ｓの通信ユニット１１と加熱調理器ＧＣの通信ユニット２との間の接続が突然途切れた場合にも、途切れた時点で携帯端末機器Ｓの表示部１２に報知信号に係る通知を表示させることができるため、その後にユーザが加熱調理器ＧＣから離れたような場合であっても事前に送信された報知信号に係る表示を確認することで、ユーザは、ガスバーナ１が点火状態にあることを知ることができる。
【００６１】
また、報知信号を送信してから一定時間経過するまでに携帯端末機器Ｓの通信ユニット１１から応答信号が送信されていない場合に、前回送信時より信号強度を高くして報知信号を再度送信するようにしていることで、通信障害等によって携帯端末機器Ｓの通信ユニット１１が報知信号を正常に受信できなかった場合や、携帯端末機器Ｓが前回送信した報知信号が届くエリアの外側にある場合であっても、再度送信された報知信号を受信できれば、報知信号に係る通知を表示部１２に表示でき、ガスバーナ１が点火状態にあることをユーザに知らせることができ、ガスバーナ１が点火状態にあることをユーザがしれなくなるといった不都合を生じ難くできる。
【００６２】
また、第１実施形態において、携帯端末機器Ｓでは、アプリケーションプログラムによって、通信状態監視機能、バーナ状態取得機能及び報知情報表示機能が実現され、通信状態が、正常に接続されている状態から接続が途切れた状態に変化し、且つ、通信状態が変化した直前にバーナ状態取得部１８によって取得されたガスバーナ１の状態が点火状態である場合に、ガスバーナ１が点火状態にあることを知らせるための報知情報を携帯端末機器Ｓの表示部１２に表示させることができる。
【００６３】
即ち、第１実施形態においては、ユーザが携帯端末機器Ｓを所持したまま加熱調理器ＧＣからのデータ信号が届かない圏外に移動して、携帯端末機器Ｓの通信ユニット１１と加熱調理器ＧＣの通信ユニット２とが正常に接続されている状態から接続が途切れた状態になった時点で、携帯端末機器Ｓの表示部１２に報知情報が表示される。したがって、加熱調理器ＧＣから一定距離離れたユーザは、携帯端末機器Ｓの表示部１２を見ることで、ガスバーナ１が点火状態にあることを知ることができる。
【００６４】
また、何らかの要因によって、加熱調理器ＧＣから送信された報知信号を携帯端末機器Ｓ側が正常に受信できなかった場合であっても、表示部１２に報知情報が表示されるため、加熱調理器ＧＣから一定距離離れたユーザに、ガスバーナ１が点火状態にあることを知らせることができる。
【００６５】
〔第２実施形態〕
第２実施形態は、主として、加熱調理器ＧＣの通信制御部６が、通信状態が正常に接続されている状態から信号強度が予め設定した所定値よりも低い状態に変化したか否かを判定し、この判定結果を基に、報知信号を送信するように通信ユニット２を制御する点が第１実施形態と異なっている。以下、第２実施形態について説明する。
【００６６】
第２実施形態において、通信制御部６は、記憶部７を参照して、通信状態が、携帯端末機器Ｓの通信ユニット１１と加熱調理器ＧＣの通信ユニット２とが正常に接続されている状態から信号強度が予め設定した所定値よりも低い状態に変化したか否かを判定するとともに、同じく記憶部７を参照して、通信状態が変化した時点でのガスバーナ１の状態が点火状態であるか否かを判定し、通信状態が変化し、且つ、ガスバーナ１の状態が点火状態である場合に、データ信号を報知信号として携帯端末機器Ｓの通信ユニット１１に送信するように加熱調理器ＧＣの通信ユニット２の動作を制御する。
【００６７】
また、第１実施形態と同じく、通信制御部６は、報知信号としてのデータ信号を送信した後、一定時間経過しても携帯端末機器Ｓの通信ユニット１１から応答信号が送信されていない場合には、前回送信時より高い信号強度のデータ信号を報知信号として再度送信するように加熱調理器ＧＣの通信ユニット２の動作を制御する。
【００６８】
第２実施形態における通信制御部６での処理について、図４を参照しつつ説明する。
【００６９】
まず、通信制御部６は、工程＃２１で、記憶部７を参照して、格納された最新の通信状態が、携帯端末機器Ｓの通信ユニット１１と加熱調理器ＧＣの通信ユニット２とが正常に接続されている状態であるか否かを判定し、正常に接続されている状態であれば工程＃２に移行し、正常に接続されていない場合には、工程＃２１を繰り返す。
【００７０】
ついで、工程＃２２において、記憶部７を参照して、格納された最新の通信状態が、携帯端末機器Ｓの通信ユニット１１と加熱調理器ＧＣの通信ユニット２との間でやりとりされるデータ信号（接続状態確認信号）の信号強度が所定値よりも低い状態であるか否かを判定し、所定値より低い状態であれば工程＃２３に移行し、所定値以上の状態であれば工程＃２２を繰り返す。
【００７１】
次に、工程＃２３において、記憶部７を参照して、通信状態が正常に接続されている状態から信号強度が所定値よりも低い状態に変化したと判定した時点でのガスバーナ１の状態が点火状態であるか否かを判定し、点火状態であれば工程＃２４に移行し、接続時のデータ信号と同程度の信号強度のデータ信号を報知信号として送信するように通信ユニット２の動作を制御し、工程＃２５に移行する。一方、工程＃２３において、点火状態でないと判定した場合には処理を終了する。
【００７２】
ついで、工程＃２５において、報知信号を携帯端末機器Ｓの通信ユニット１１に送信してから一定時間（例えば、１秒）経過するまでに携帯端末機器Ｓから送信された応答信号を受信したか否かを判定し、受信した場合には処理を終了する。一方、工程＃２５において、応答信号を受信していないと判定した場合には、工程＃２６に移行し、前回送信時よりも信号強度が高いデータ信号を報知信号として送信するように通信ユニット２の動作を制御した後、処理を終了する。
【００７３】
このように、第２実施形態において、加熱調理器ＧＣは、通信状態が、正常に接続されている状態からデータ信号の信号強度が所定値よりも低い状態に変化した時点でガスバーナ１が点火状態にある場合に、ガスバーナ１が点火状態にあることを知らせるための報知信号を携帯端末機器Ｓの通信ユニット１１に送信することができる。
【００７４】
即ち、第２実施形態においては、ユーザが携帯端末機器Ｓを所持したまま加熱調理器ＧＣからのデータ信号が届かない圏外に移動しようとして加熱調理器ＧＣから離れ、携帯端末機器Ｓの通信ユニット１１と加熱調理器ＧＣの通信ユニット２との間でやりとりされているデータ信号の信号強度が所定値よりも低い状態になった時点で、ユーザの所持する携帯端末機器Ｓの表示部１２に報知信号に係る通知（ガスバーナ１が点火状態にあることを知らせる通知）を表示させることができ、加熱調理器ＧＣから一定距離離れたユーザに、ガスバーナ１が点火状態にあることを知らせることができる。
【００７５】
また、接続が途切れた場合に報知信号を送信する場合には、携帯端末機器Ｓを持ったユーザの移動速度によっては、報知信号を送信する段階で、既に報知信号の届くエリアから遥かに離れた位置に携帯端末機器Ｓが位置し、携帯端末機器Ｓの通信ユニット１１が報知信号を受信することができなくなる可能性があるが、データ信号の信号強度が所定値より低い状態になった時点で報知信号を送信することで、携帯端末機器Ｓの通信ユニット１１が報知信号を受信できなくなる可能性が低くなり、ガスバーナ１が点火状態にあることをより確実にユーザに知らせることが可能となる。
【００７６】
更に、第１実施形態と同様に、報知信号を送信してから一定時間経過するまでに携帯端末機器Ｓの通信ユニット１１から応答信号が送信されていない場合に、前回送信時より信号強度を高くして報知信号を再度送信するようにしていることで、通信障害等によって携帯端末機器Ｓの通信ユニット１１が報知信号を正常に受信できなかった場合や、携帯端末機器Ｓが前回送信した報知信号が届くエリアの外側にある場合であっても、再度送信された報知信号を受信できれば、報知信号に係る通知を表示部１２に表示でき、ガスバーナ１が点火状態にあることをユーザに知らせることができ、ガスバーナ１が点火状態にあることをユーザがしれなくなるといった不都合を生じ難くできる。
【００７７】
〔第３実施形態〕
第３実施形態は、主として、携帯端末機器Ｓの報知情報表示部１９が、通信状態が正常に接続されている状態から信号強度が予め設定した所定値よりも低い状態に変化したか否かを判定し、この判定結果を基に、報知情報を表示部１２に表示させる点が第１実施形態と異なっている。以下、第３実施形態について説明する。
【００７８】
第３実施形態において、報知情報表示部１９は、加熱調理器ＧＣの通信ユニット２と携帯端末機器Ｓの通信ユニット１１とが正常に接続されている状態から、信号強度が予め設定した所定値よりも低い状態に変化したか否かを判定するとともに、通信状態が変化したと判定した直前にバーナ状態取得部１８で取得されたガスバーナ１の状態が点火状態であるか否かを判定し、点火状態である場合に、報知情報を表示部１２に表示させる。
【００７９】
第３実施形態における携帯端末機器Ｓにおいて、通信状態監視機能、バーナ状態取得機能及び報知情報表示機能が実行される場合のアプリケーションプログラムの動作フローについて、図５を参照しつつ説明する。
【００８０】
まず、携帯端末機器Ｓ上でアプリケーションが起動された状態において、通信状態監視部１７は、携帯端末機器Ｓの通信ユニット１１と加熱調理器ＧＣの通信ユニット２との間の通信状態の監視を開始し（工程＃３１）、工程＃３２に移行する。
【００８１】
工程＃３２において、報知情報表示部１９は、通信状態監視部１７から送信された通信状態が、携帯端末機器Ｓの通信ユニット１１と加熱調理器ＧＣの通信ユニット２とが正常に接続されている状態であるか否かを判定し、正常に接続されている状態であれば工程＃３３に移行し、正常に接続されていない場合には、工程＃３２を繰り返す。
【００８２】
ついで、工程＃３３において、バーナ状態取得部１８が、加熱調理器ＧＣの通信ユニット２から逐次送信されるデータ信号中のガスバーナ１の状態に関する情報を基づくガスバーナ１の状態の取得を開始し、工程＃３４に移行する。
【００８３】
工程＃３４において、報知情報表示部１９は、通信状態監視部１７から送信された通信状態が、携帯端末機器Ｓの通信ユニット１１と加熱調理器ＧＣの通信ユニット２との間でやりとりされるデータ信号（接続状態確認信号）の信号強度が所定値よりも低い状態であるか否かを判定し、所定値より低い状態であれば工程＃３５に移行し、所定値より低くない場合には工程＃３４を繰り返す。
【００８４】
工程＃３５において、報知情報表示部１９は、記憶部２０を参照して、通信状態が正常に接続されている状態から信号強度が所定値よりも低い状態に変化したと判定した直前にバーナ状態取得部１８で取得されたガスバーナ１の状態が点火状態であるか否かを判定し、点火状態であれば、工程＃３６に移行して、ガスバーナ１が点火状態であることを知らせる報知情報を表示部１２に表示する。一方、工程＃３５において、点火状態でないと判定した場合には、処理を終了する。
【００８５】
このように、第３実施形態において、携帯端末機器Ｓでは、アプリケーションプログラムによって、通信状態監視機能、バーナ状態取得機能及び報知情報表示機能が実現され、通信状態が、正常に接続されている状態から信号強度が所定値より低い状態に変化し、且つ、通信状態が変化した直前にバーナ状態取得部１８によって取得されたガスバーナ１の状態が点火状態である場合に、ガスバーナ１が点火状態にあることを知らせるための報知情報を携帯端末機器Ｓの表示部１２に表示させることができる。
【００８６】
即ち、第３実施形態においては、ユーザが携帯端末機器Ｓを所持したまま加熱調理器ＧＣからのデータ信号が届かない圏外に移動しようとして加熱調理器ＧＣから離れ、携帯端末機器Ｓの通信ユニット１１と加熱調理器ＧＣの通信ユニット２との間でやりとりされているデータ信号の信号強度が所定値よりも低い状態になった時点で、携帯端末機器Ｓの表示部１２に報知情報を表示される。したがって、加熱調理器ＧＣから一定距離離れたユーザは、携帯端末機器Ｓの表示部１２を見ることで、ガスバーナ１が点火状態にあることを知ることができる。
【００８７】
〔別実施形態〕
〔１〕上記各実施形態においては、報知信号を送信した後に一定時間経過するまで携帯端末機器Ｓから送信された応答信号を受信していない場合に、前回送信時より信号強度を高くして報知信号を再度送信させるようにしているが、これに限られるものではなく、応答信号を受信していない場合でも報知信号を再度送信しないようにしても良いし、報知信号を再度送信する際に、前回送信時と同程度の信号強度の報知信号を送信するようにしても良い。
【００８８】
〔２〕上記各実施形態では、ＢＬＥ通信により携帯端末機器Ｓの通信ユニット１１と加熱調理器ＧＣの通信ユニット２とが無線通信可能に構成されているが、たとえば、ワイヤレスＬＡＮやＷｉｆｉ通信で無線通信可能に構成しても良い。
【００８９】
〔３〕上記各実施形態では、バーナ点火信号及びバーナ消火信号を基に、バーナ状態取得部４がガスバーナ１の状態を取得する構成としたが、これに限られるものではなく、ガスバーナ１の炎を検出する炎センサなど検出結果を基に、ガスバーナ１の状態を取得する構成としても良い。
【００９０】
〔４〕上記各実施形態では、ガスバーナ１が１つである構成を採用したが、ガスバーナの数を複数であっても良く、この場合、火の消し忘れを防止するという観点から、複数のガスバーナのうち、少なくとも１つのガスバーナが点火状態である場合に報知信号を送信するようにすることが好ましい。
【００９１】
〔５〕上記各実施形態では、加熱調理器ＧＣから送信された報知信号を通信ユニット１１が正常に受信した場合、携帯端末機器Ｓの表示部１２に、報知信号に係る通知が表示されるとともに、報知情報も合わせて表示されるようしているが、いずれか一方のみが選択的に表示されるようにしても良い。
【００９２】
〔６〕上記第１実施形態では、通信制御部６において、信号強度が徐々に低下した後に接続が途切れたか否かを判定するようにしているが、単に接続が途切れた状態であるか否か、ガスバーナ１が点火状態にあるか否かを判定し、接続が途切れ、且つ、ガスバーナ１が点火状態にある場合に、報知信号が送信されるように通信ユニット２の動作を制御するようにしても良い。
【００９３】
〔７〕上記第１実施形態では、通信状態が正常に接続されている状態から接続が途切れた状態に変化した場合に報知信号を送信し、第２実施形態では、通信状態が正常に接続されている状態から信号強度が所定値よりも低い状態に変化した場合に報知信号を送信するようにしているが、通信状態が正常に接続されている状態から信号強度が所定値よりも低い状態に変化した場合に報知信号し、その後、接続が途切れた状態に変化した場合に、更に報知信号を送信するようにしても良い。
【００９４】
〔８〕上記第１実施形態においては、信号強度が徐々に低下した後に接続が途切れた場合に、接続時のデータ信号よりも高い信号強度のアドバタイズ信号を送信するようしているが、信号強度が徐々に低下したか否かにかかわらず、接続が途切れた場合に一律に、接続時のデータ信号よりも高い信号強度のアドバタイズ信号を送信するようにしても良い。
【００９５】
〔９〕上記各実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９６】
本発明は、バーナの消し忘れを防止すべく、加熱調理器から離れた、或いは、離れそうになっているタイミングで、バーナが点火状態にあることをユーザに確実に知らせることができる加熱調理器に利用できる。
【符号の説明】
【００９７】
１    ガスバーナ（バーナ）
２    通信ユニット（通信手段）
３    制御装置
４    バーナ状態取得部
５    通信状態監視部
６    通信制御部
ＧＣ  加熱調理器
Ｓ    携帯端末機器
【図１】
2020106253.tif 000003
【図２】
2020106253.tif 000004
【図３】
2020106253.tif 000005
【図４】
2020106253.tif 000006
【図５】
2020106253.tif 000007